(57)【要約】【課題】  外部からの乗り越え、破断、内部からのよじ登りを確実に防止する。【解決手段】  所定の領域に張り巡らされたフェンスと、フェンスの上部に沿って敷設された乗り越え検知用ＦＢＧ内蔵光ファイバケーブルと、乗り越え検知用ＦＢＧ内蔵光ファイバケーブルの下段側でフェンスに沿って敷設された破断検知用光ファイバケーブルと、乗り越え検知用ＦＢＧ内蔵光ファイバケーブルと破断検知用光ファイバケーブルとを連結し、破断検知用光ファイバケーブルに掛かる応力を乗り越え検知用ＦＢＧ内蔵光ファイバケーブルに伝達する伝達手段と、伝達手段から伝達される張力に基づいて発生するＦＢＧの撓みを検知する乗り越え検知装置と、破断検知用光ファイバケーブルの破断を検知する破断検知装置とを備えた。【選択図】    図１
2006155426.tif 000002
【特許請求の範囲】
【請求項１】
所定の領域に張り巡らされたフェンスと、
前記フェンスの上部に沿って敷設された乗り越え検知用ＦＢＧ内蔵光ファイバケーブルと、
前記乗り越え検知用ＦＢＧ内蔵光ファイバケーブルの下段側で前記フェンスに沿って敷設された破断検知用光ファイバケーブルと、
前記乗り越え検知用ＦＢＧ内蔵光ファイバケーブルと前記破断検知用光ファイバケーブルとを連結し、前記破断検知用光ファイバケーブルに掛かる応力を前記乗り越え検知用ＦＢＧ内蔵光ファイバケーブルに伝達する伝達手段と、
前記伝達手段から伝達される張力に基づいて発生する前記ＦＢＧの撓みを検知する乗り越え検知装置と、
前記破断検知用光ファイバケーブルの破断を検知する破断検知装置と
を備えたことを特徴とする侵入検知装置。
【請求項２】
請求項１記載の侵入検知装置において、
前記伝達手段は、前記破断検知用光ファイバケーブルと前記乗り越え検知用ＦＢＧ内蔵光ファイバケーブルとを連結する紐部材である
ことを特徴とする侵入検知装置。
【請求項３】
請求項１記載の侵入検知装置において、
前記伝達手段は、前記破断検知用光ファイバケーブルと前記乗り越え検知用ＦＢＧ内蔵光ファイバケーブルとを連結する伝達ロッドであり、前記伝達ロッドは、前記破断検知用光ファイバケーブルに固定され、前記乗り越え検知用ＦＢＧ内蔵光ファイバケーブルにテンションを付与するテンション機構に端部が連絡し、前記応力を前記乗り越え検知用ＦＢＧ内蔵光ファイバケーブルに伝達する
ことを特徴とする侵入検知装置。
【請求項４】
請求項１記載の侵入検知装置において、
前記破断検知用光ファイバケーブルは、前記フェンスに対し横方向と縦方向とに個別に蛇行して敷設され、
前記横方向に蛇行する前記破断検知用光ファイバケーブルが、前記乗り越え検知用ＦＢＧ内蔵光ファイバケーブルに連結する複数本の伝達部材と少なくとも２箇所において連結され、
前記縦方向に蛇行する前記破断検知用光ファイバケーブルが、前記横方向に蛇行する前記破断検知用光ファイバケーブルとともに、前記乗り越え検知用ＦＢＧ内蔵光ファイバケーブルに連結する複数本の伝達部材と少なくとも１箇所において連結されている
ことを特徴とする侵入検知装置。
【請求項５】
請求項１記載の侵入検知装置において、
前記破断検知用光ファイバケーブルは、前記フェンスに対し横方向に蛇行して敷設されるとともに、その一部が前記乗り越え検知用ＦＢＧ内蔵光ファイバケーブルに向かって縦方向に蛇行し、かつ各交差点において連結部を設け、
前記破断検知用光ファイバケーブル一部と前記乗り越え検知用ＦＢＧ内蔵光ファイバケーブルとを連結して成る
ことを特徴とする侵入検知装置。
【発明の詳細な説明】
【技術分野】
【０００１】
本発明は、重要な施設、敷地を侵入者から護る侵入検知装置に関する。
【背景技術】
【０００２】
例えば、国際空港における侵入検知装置は、外部からの侵入（乗り越え、破断）を検出するだけではなく、海外からの密航者等が潜入していたカーゴ等から逃げ、フェンスをよじ登り、国外へ逃亡することを検知し、未然に防ぐ必要がある。
そのため、１．２〜１．６ｍｍのワイヤを９〜１６段敷設し、ワイヤに検知用の微弱電流を流すことで、フェンスよじ登りの際は、断線により検知するように構成されている。
【０００３】
しかし、（１）塩害等により腐食しやすい、（２）風等による繰り返し荷重により破断しやすい、（３）突発的な衝撃により破断しやすい、（４）ワイヤ（スチール線）のため雪やＥＭＩの影響で誤作動を起こす等において改善が望まれている。
そこで、例えば、外力が加えられた時に伝搬する光を外力に応じて偏波変動させる光ファイバをフェンスに配設し、光の偏波変動を監視し、監視領域への侵入者の有無を判断する侵入者検出装置（例えば、特許文献１、２、３参照）が提案されている。
【０００４】
また、フェンスの上部にＦＢＧを内蔵した光ファイバケーブルを敷設し、光ファイバケーブルに張力が掛かると、内蔵したＦＢＧに歪みが発生し、歪みによる波長変化を捉えることで侵入場所を特定する光ファイバ式侵入検知システム（例えば、非特許文献１参照）が提案されている。
【特許文献１】特開２００１−６０５５号公報
【特許文献２】特開２０００−４０１８７号公報
【特許文献３】特開２０００−８２１８７号公報
【非特許文献１】日立電線株式会社発行のカタログ「光ファイバ式侵入検知システム」
【発明の開示】
【発明が解決しようとする課題】
【０００５】
しかし、従来の侵入者検出装置では、フェンスにワイヤセンサを敷設し、侵入者によるワイヤセンサの破断を検出するため、ワイヤに検知用の微弱電流を流す電源供給源を必要とし、国際空港のように広大な敷地に設置する場合には、大掛かりな工事を必要とする上、疲労破断や誤作動等への対応等のメンテナンスに多大な労力を必要とする。
一方、ＦＢＧを内蔵した光ファイバケーブルをフェンスの上部に敷設した光ファイバ式侵入検知システムでは、乗り越えではなく、フェンス下部を破られた場合に、侵入場所を速やかに特定することが困難である。また、ＦＢＧを内蔵した光ファイバケーブルをフェンスに複数段に敷設した光ファイバ式侵入検知システムでは、ＦＢＧを内蔵した光ファイバケーブルに張力を与えることが困難となり、ＦＢＧを内蔵した光ファイバケーブルの敷設を確実に行うことができない。しかも、ＦＢＧを内蔵した光ファイバケーブルをフェンスに複数段に敷設するため、コストが嵩むという問題がある。
【０００６】
さらに、光を外力に応じて偏波変動させる光ファイバをフェンスに配設し、光の偏波変動を監視する検出装置では、その偏波の変動を検知するため演算処理などを行う必要があり、検知部にはコストが嵩み、フェンスに複数段に敷設し広大な敷地をカバーするには検知部も多く必要となり、さらにコストが嵩むという問題がある。
本発明は斯かる従来の問題点を解決するために為されたもので、その目的は、外部からの乗り越え、破断、内部からのよじ登りを確実に防止することが可能な侵入検知装置を提供することにある。
【課題を解決するための手段】
【０００７】
請求項１に係る発明は、所定の領域に張り巡らされたフェンスと、前記フェンスの上部に沿って敷設された乗り越え検知用ＦＢＧ内蔵光ファイバケーブルと、前記乗り越え検知用ＦＢＧ内蔵光ファイバケーブルの下段側で前記フェンスに沿って敷設された破断検知用光ファイバケーブルと、前記乗り越え検知用ＦＢＧ内蔵光ファイバケーブルと前記破断検知用光ファイバケーブルとを連結し、前記破断検知用光ファイバケーブルに掛かる応力を前記乗り越え検知用ＦＢＧ内蔵光ファイバケーブルに伝達する伝達手段と、前記伝達手段から伝達される張力に基づいて発生する前記ＦＢＧの撓みを検知する乗り越え検知装置と、前記破断検知用光ファイバケーブルの破断を検知する破断検知装置とを備えたことを特徴とする。
【０００８】
請求項２に係る発明は、請求項１記載の侵入検知装置において、前記伝達手段は、前記破断検知用光ファイバケーブルと前記乗り越え検知用ＦＢＧ内蔵光ファイバケーブルとを連結する紐部材であることを特徴とする。
請求項３に係る発明は、請求項１記載の侵入検知装置において、前記伝達手段は、前記破断検知用光ファイバケーブルと前記乗り越え検知用ＦＢＧ内蔵光ファイバケーブルとを連結する伝達ロッドであり、前記伝達ロッドは、前記破断検知用光ファイバケーブルに固定され、前記乗り越え検知用ＦＢＧ内蔵光ファイバケーブルにテンションを付与するテンション機構に端部が連絡し、前記応力を前記乗り越え検知用ＦＢＧ内蔵光ファイバケーブルに伝達することを特徴とする。
【０００９】
請求項４に係る発明は、請求項１記載の侵入検知装置において、前記破断検知用光ファイバケーブルは、前記フェンスに対し横方向と縦方向とに個別に蛇行して敷設され、前記横方向に蛇行する前記破断検知用光ファイバケーブルが、前記乗り越え検知用ＦＢＧ内蔵光ファイバケーブルに連結する複数本の伝達部材と少なくとも２箇所において連結され、前記縦方向に蛇行する前記破断検知用光ファイバケーブルが、前記横方向に蛇行する前記破断検知用光ファイバケーブルとともに、前記乗り越え検知用ＦＢＧ内蔵光ファイバケーブルに連結する複数本の伝達部材と少なくとも１箇所において連結されていることを特徴とする。
【００１０】
請求項５に係る発明は、請求項１記載の侵入検知装置において、前記破断検知用光ファイバケーブルは、前記フェンスに対し横方向に蛇行して敷設されるとともに、その一部が前記乗り越え検知用ＦＢＧ内蔵光ファイバケーブルに向かって縦方向に蛇行し、かつ各交差点において連結部を設け、前記破断検知用光ファイバケーブル一部と前記乗り越え検知用ＦＢＧ内蔵光ファイバケーブルとを連結して成ることを特徴とする。
（作用）
本発明では、最上段の１段を乗り越え検知用ＦＢＧ内蔵光ファイバケーブル、残りを通常の光（ドロップ）ケーブルとするとともに、フェンスよじ登りを検知するために、乗り越え検知用ＦＢＧ内蔵光ファイバケーブルと残りの通常の光（ドロップ）ケーブルとを連結したので、よじ登りによる通常の光（ドロップ）ケーブルの撓みを乗り越え検知用ＦＢＧ内蔵光ファイバケーブルで検知し、侵入または逃亡を未然に防ぐことができる。
【発明の効果】
【００１１】
本発明によれば、外部からの乗り越え、破断、内部からのよじ登りについて、場所の特定が確実に検知されるため、防犯効果が高く、これらを確実に防止することができる。
また、本発明は、ワイヤセンサ等の破断を主としたシステムではなく、被覆可能な耐腐食性の高い光ファイバを検知に用いるため、メンテナンスが容易である。
また、本発明は、検知線の電源供給や信号線が不要であり、伝送ロスの少ない光を使用するため、施工が容易である。
【００１２】
また、乗り越え検知用ＦＢＧ内蔵光ファイバケーブルを最小限１段にできるため、コストダウンになる。
【発明を実施するための最良の形態】
【００１３】
以下、本発明を図面に示す実施形態に基づいて説明する。
図１は、本発明の第一実施形態に係る侵入検知装置１を示す。
本実施形態に係る侵入検知装置１は、監視装置１１と、乗り越え検知装置１２と、破断検知装置１３と、光パッチパネル１４とを備えた監視センター１０を有する。
監視センター１０の光パッチパネル１４には、途中に光ケーブル中継器１６を備えた光ケーブル用配線管路１５が連絡している。光ケーブル用配線管路１５には、乗り越え検知用ＦＢＧ内蔵光ファイバケーブル３０と破断検知用光ファイバケーブル４０ａ〜４０ｏとに個別に連絡する光幹線ケーブル１７が配線されている。光ケーブル用配線管路１５は、警戒区域１９に設置されたフェンス２０の基部に設けた光成端ボックス１８に連絡している。光成端ボックス１８において、乗り越え検知用ＦＢＧ内蔵光ファイバケーブル３０と破断検知用光ファイバケーブル４０ａ〜４０ｏとを分離している。ここでは、監視センター１０から警戒区域１９までの距離を２ｋｍ、警戒区域１９に設置されたフェンス２０の長さを１．５ｋｍとした。なお、ＦＢＧとは、歪みに応じて光反射ピーク波長が変化するファイバブラッググレーティングを意味する。
【００１４】
フェンス２０の上部の忍び返し２１には、フェンス２０に設けたテンション機構３１ａ〜３１ｏにより所定の張力を掛けた状態で乗り越え検知用ＦＢＧ内蔵光ファイバケーブル３０が敷設されている。乗り越え検知用ＦＢＧ内蔵光ファイバケーブル３０の一端側は、光成端ボックス１８に光ケーブル３２を介して連絡し、他端側は、テンション機構３２より先に設けた終端装置３３に連絡している。ここでは、検知区域を１００ｍ区画（Ｎｏ．１〜Ｎｏ．１５）とした。従って、乗り越え検知用ＦＢＧ内蔵光ファイバケーブル３０の１５個のＦＢＧは、それぞれの中心周波数が重ならないようにずらされている。
【００１５】
フェンス２０の壁面２２には、各検知区域毎に１５本の破断検知用光ファイバケーブル４０ａ〜４０ｏが蛇行して敷設されている。ここで、破断検知用光ファイバケーブル４０ａ〜４０ｏは、各検知区域においてケーブルの間隔が２００〜３００ｍｍとなるように蛇行している。そして、それぞれの曲がり部においては、光ファイバケーブルの伝送に支障を与えない所定の曲げアールを確保できるように保持金物をフェンス２０に取り付ける。検知区画Ｎｏ．１に敷設された破断検知用光ファイバケーブル４０ａは、光成端ボックス１８に連絡している。残りの検知区画Ｎｏ．２に敷設された破断検知用光ファイバケーブル４０ｂ〜検知区画Ｎｏ．１５に敷設された破断検知用光ファイバケーブル４０ｏは、光成端ボックス１８からフェンス２０の全長に亘ってフェンス２０を取り付ける地面に敷設されている光ケーブル用配線管路２３を介して光成端ボックス１８に連絡している。
【００１６】
さらに、次の警戒区域（図１の右矢印部分）へは、図示しない別の光幹線ケーブル１７以降の一式のケーブルおよび管路が用意され、同様に敷設される。
フェンス２０の上部の忍び返し２１に敷設された乗り越え検知用ＦＢＧ内蔵光ファイバケーブル３０と、フェンス２０の各検知区域毎に壁面２２に敷設された１５個の破断検知用光ファイバケーブル４０ａ〜４０ｏとは、各検知区域において、ケーブル、ワイヤなどの紐部材５０を、乗り越え検知用ＦＢＧ内蔵光ファイバケーブル３０と破断検知用光ファイバケーブル４０ａ〜４０ｏの任意の場所とに括り付けることによって、破断検知用光ファイバケーブル４０ａ〜４０ｏに掛かる荷重を乗り越え検知用ＦＢＧ内蔵光ファイバケーブル３０のＦＢＧに伝達するように構成されている。
【００１７】
次に、斯くして構成された本実施形態に係る侵入検知装置１の作用を説明する。
監視センター１０において、図示しない光源から放射される光は、光パッチパネル１４から光ケーブル用配線管路１５内の光幹線ケーブル１７を介してフェンス２０の上部の忍び返し２１に敷設された乗り越え検知用ＦＢＧ内蔵光ファイバケーブル３０と、フェンス２０の各検知区域毎に壁面２２に敷設された１５個の破断検知用光ファイバケーブル４０ａ〜４０ｏとに伝搬される。
【００１８】
そして、監視センター１０では、乗り越え検知装置１２および破断検知装置１３からの信号を監視装置１１にて監視する。
ここで、侵入者が、例えば検知区画Ｎｏ．１のフェンス２０をよじ登ろうとすると、フェンス２０の各検知区域毎に壁面２２に敷設された１５本の破断検知用光ファイバケーブル４０ａ〜４０ｏの上下方向の間隔が２００〜３００ｍｍと狭いため、侵入者が破断検知用光ファイバケーブル４０ａに足を掛けるか接触することとなり、破断検知用光ファイバケーブル４０ａに応力が掛かる。これにより、紐部材５０が乗り越え検知用ＦＢＧ内蔵光ファイバケーブル３０の検知区画Ｎｏ．１に位置するＦＢＧに歪みを生成し、この歪みを乗り越え検知装置１２が直ちに検出し、監視装置１１に検知区画Ｎｏ．１からの侵入を報知し、侵入者を確実に捕捉することができる。
【００１９】
また、侵入者が、例えば検知区画Ｎｏ．１のフェンス２０において、フェンス２０を破って侵入しようとすると、フェンス２０の各検知区域毎に壁面２２に敷設された１５本の破断検知用光ファイバケーブル４０ａ〜４０ｏの上下方向の間隔が２００〜３００ｍｍと狭いため、侵入者が破断検知用光ファイバケーブル４０ａを引っ張るか接触することとなり、破断検知用光ファイバケーブル４０ａに応力が掛かる。これにより、紐部材５０が乗り越え検知用ＦＢＧ内蔵光ファイバケーブル３０の検知区画Ｎｏ．１に位置するＦＢＧに歪みを生成し、この歪みを乗り越え検知装置１２が直ちに検出し、監視装置１１に検知区画Ｎｏ．１からの侵入を報知し、侵入者を確実に捕捉することができる。
【００２０】
さらに、侵入者が、例えば検知区画Ｎｏ．１のフェンス２０において、フェンス２０を破り、破断検知用光ファイバケーブル４０ａを切断しようとすると、フェンス２０の各検知区域毎に壁面２２に敷設された１５本の破断検知用光ファイバケーブル４０ａ〜４０ｏの上下方向の間隔が２００〜３００ｍｍと狭いため、侵入者が破断検知用光ファイバケーブル４０ａを引っ張るか接触することとなり、破断検知用光ファイバケーブル４０ａに応力が掛かる。これにより、紐部材５０が乗り越え検知用ＦＢＧ内蔵光ファイバケーブル３０の検知区画Ｎｏ．１に位置するＦＢＧに歪みを生成し、この歪みを乗り越え検知装置１２が直ちに検出し、監視装置１１に検知区画Ｎｏ．１からの侵入を報知するとともに、破断検知装置１３が直ちに検出し、監視装置１１に検知区画Ｎｏ．１からの侵入を報知し、侵入者を確実に捕捉することができる。
【００２１】
さらに、侵入者が乗り越え検知用ＦＢＧ内蔵光ファイバケーブル３０を乗り越える時に引っ張ると、ＦＢＧに歪みが生じ、この歪みを乗り越え検知装置１２が直ちに検出し、監視装置１１に検知区画Ｎｏ．１からの侵入を報知し、侵入者を確実に捕捉することができる。
以上のように、本実施形態によれば、侵入者がフェンス２０によじ登ったり、フェンス２０を破ったりすると、紐部材５０を介してその際に生じる応力を確実に乗り越え検知用ＦＢＧ内蔵光ファイバケーブル３０に伝達することができるので、監視センター１０において侵入者の存在および位置を確実に捕捉することができる。
【００２２】
なお、本実施形態では、検知区画毎にテンション機構３１ａ〜３１ｏを設けたが、所定の間隔としても良い。
図２は、本発明の第二実施形態に係る侵入検知装置１Ａを示す。
本実施形態は、フェンス２０の主柱２４の間に柱２５を設け、各柱２５にケーブル、ワイヤなどの紐部材５０を連結した点で、第一実施形態に係る侵入検知装置１とは相違する。
【００２３】
紐部材５０と乗り越え検知用ＦＢＧ内蔵光ファイバケーブル３０および破断検知用光ファイバケーブル４０ａ〜４０ｏとの連結は、×印で示す箇所において行われる。
本実施形態においても、第一実施形態と同様の作用効果を奏することができる。
図３は、本発明の第三実施形態に係る侵入検知装置１Ｂを示す。
本実施形態は、各検知区画を４つのブロックＢ１〜Ｂ４に分けるとともに、破断検知用光ファイバケーブル４０ａ〜４０ｏの光ケーブル４０ｘを各ブロックＢ１〜Ｂ４毎に左右方向に蛇行した点で、第一実施形態に係る侵入検知装置１とは相違する。
【００２４】
４つのブロックＢ１〜Ｂ４に分けられた破断検知用光ファイバケーブル４０ａ〜４０ｏの光ケーブル４０ｘは、プルボックス４１において光ケーブル用配線管路２３に連絡している。
４つのブロックＢ１〜Ｂ４に分けられた破断検知用光ファイバケーブル４０ａ〜４０ｏの光ケーブル４０ｘは、各ブロックＢ１〜Ｂ４において４本の紐部材５０で乗り越え検知用ＦＢＧ内蔵光ファイバケーブル３０に連絡している。
【００２５】
本実施形態においては、各検知区画が４本の紐部材５０と破断検知用光ファイバケーブル４０ａ〜４０ｏの光ケーブル４０ｘによって第一実施形態よりも細かく区画されているので、侵入者が破断検知用光ファイバケーブル４０ａ〜４０ｏに掛ける応力をより早く検知することが可能となる。
本実施形態においても、第一実施形態と同様の作用効果を奏することができる。
【００２６】
なお、図３では、乗り越え検知用ＦＢＧ内蔵光ファイバケーブル３０の配線を光成端ボックス１８毎で行うように示してあるが、図１と同様にしても良い。
図４は、本発明の第四実施形態に係る侵入検知装置１Ｃを示す。
本実施形態は、ケーブル、ワイヤなどの紐部材５０を、伝達ロッド５０Ａにした点で、第一実施形態に係る侵入検知装置１とは相違する。
【００２７】
伝達ロッド５０Ａは、図５に示すように、テンション機構３１ｂ〜３１ｏにおいて乗り越え検知用ＦＢＧ内蔵光ファイバケーブル３０に直接固定する固定グリップ３１ｕを介して先端５０ａが固定され、破断検知用光ファイバケーブル４０ａ〜４０ｏに保持金物５０ｂを介して結束されている。テンション機構３１ｂ〜３１ｏは、乗り越え検知用ＦＢＧ内蔵光ファイバケーブル３０に所定の張力を与えるために、テンションユニット３１ｓが乗り越え検知用ＦＢＧ内蔵光ファイバケーブル３０を牽引するテンションアーム３１ｔに所定のテンションを付与している。ここで、保持金物５０ｂは、破断検知用光ファイバケーブル４０ａ〜４０ｏの曲がり部においては、光ファイバケーブルの伝送に支障を与えない所定の曲げアールを確保できるようにフェンス２０に取り付けてある。
【００２８】
本実施形態においては、図５に示すように、破断検知用光ファイバケーブル４０ａ〜４０ｏに応力が掛かると、連結ロッド５０Ａがテンション機構３１ｂ〜３１ｏの固定グリップ３１ｕを押し上げ、乗り越え検知用ＦＢＧ内蔵光ファイバケーブル３０のＦＢＧに歪みが生じ、この歪みを乗り越え検知装置１２が直ちに検出し、監視装置１１に検知区画Ｎｏ．１からの侵入を報知し、侵入者を確実に捕捉することができる。
【００２９】
本実施形態においても、第一実施形態と同様の作用効果を奏することができる。
なお、図５は、伝達ロッド５０Ａの動きと保持金物５０ｂとの関係を示すために、破断検知用光ファイバケーブル４０ａ〜４０ｏの一部を省略して示してある。
図６は、本発明の第五実施形態に係る侵入検知装置１Ｄを示す。
本実施形態は、各ブロックＢ１〜Ｂ４毎に左右方向に蛇行する破断検知用光ファイバケーブル４０ａ〜４０ｏの光ケーブル４０ｘとともに、破断検知用光ファイバケーブル４０ａ〜４０ｏの光ケーブル４０ｙを各ブロックＢ１〜Ｂ４毎に上下方向に蛇行し、かつ紐部材５０を連結点５０ｂにおいて光ケーブル４０ｘに連結し、連結点５０ｃにおいて光ケーブル４０ｘ、４０ｙに連結した点で、第三実施形態に係る侵入検知装置１Ｂとは相違する。
【００３０】
各ブロックＢ１〜Ｂ４毎に上下方向に蛇行する破断検知用光ファイバケーブル４０ａ〜４０ｏの光ケーブル４０ｙは、紐部材５０との連結点５０ｃにおいて、各ブロックＢ１〜Ｂ４毎に左右方向に蛇行する破断検知用光ファイバケーブル４０ａ〜４０ｏの光ケーブル４０ｘと連結されるため、乗り越え検知用ＦＢＧ内蔵光ファイバケーブル３０と連絡している。４０ｙ’は、光ケーブル４０ｙの折り返し部分を示す。
【００３１】
そして、各ブロックＢ１〜Ｂ４毎に上下方向に蛇行する破断検知用光ファイバケーブル４０ａ〜４０ｏの光ケーブル４０ｙは、ブロックＢ１〜Ｂ３においては、プルボックス４１において光ケーブル用配線管路２３に連絡し、ブロックＢ４においては、光成端ボックス１８において光ケーブル用配線管路２３に連絡している。
本実施形態においては、各ブロックＢ１〜Ｂ４毎に上下方向に蛇行する破断検知用光ファイバケーブル４０ａ〜４０ｏの光ケーブル４０ｙは、紐部材５０と等間隔で縦方向に敷設され、所定の間隔で各ブロックＢ１〜Ｂ４毎に左右方向に蛇行する破断検知用光ファイバケーブル４０ａ〜４０ｏの光ケーブル４０ｘと紐部材５０によって固定されているので、各ブロックＢ１〜Ｂ４毎に左右方向および上下方向に蛇行して敷設された破断検知用光ファイバケーブル４０ａ〜４０ｏの光ケーブル４０ｘ、４０ｙが破断されると、直ちに破断検知装置１３に通報することができる。
【００３２】
本実施形態においても、各ブロックＢ１〜Ｂ４毎に左右方向に蛇行する破断検知用光ファイバケーブル４０ａ〜４０ｏの光ケーブル４０ｘに応力が掛かると、紐部材５０を介して瞬時に乗り越え検知用ＦＢＧ内蔵光ファイバケーブル３０に伝搬し、侵入行為を事前に検知することができる。
なお、紐部材５０は、連結ロッドに置き換えても良い。
【００３３】
図７は、本発明の第六実施形態に係る侵入検知装置１Ｅを示す。
本実施形態は、各ブロックＢ１〜Ｂ４毎に左右方向に蛇行する破断検知用光ファイバケーブル４０ａ〜４０ｏの光ケーブル４０ｘの一部を、乗り越え検知用ＦＢＧ内蔵光ファイバケーブル３０に直に連結した点で、第三実施形態に係る侵入検知装置１Ｂとは相違する。
【００３４】
本実施形態では、各ブロックＢ１〜Ｂ４毎に左右方向に蛇行する破断検知用光ファイバケーブル４０ａ〜４０ｏの光ケーブル４０ｘが、自信が交差する点において結束等により連結され、上下方向の部位４０ｘ’を伝達部材５０Ｂとして機能させている。
本実施形態によれば、破断検知用光ファイバケーブル４０ａ〜４０ｏに設けた伝達部材５０Ｂの一部が切断されれば、直ちに破断検知装置１３に通報することができる。
【００３５】
本実施形態においても、各ブロックＢ１〜Ｂ４毎に左右方向に蛇行する破断検知用光ファイバケーブル４０ａ〜４０ｏの光ケーブル４０ｘに応力が掛かると、伝達部材５０Ｂを介して瞬時に乗り越え検知用ＦＢＧ内蔵光ファイバケーブル３０に伝搬し、侵入行為を事前に検知することができる。
なお、上記実施形態に用いた乗り越え検知用ＦＢＧ内蔵光ファイバケーブル３０では、中心波長を変えてＦＢＧを設定できるのに数の制限がある。そのため、さらに、フェンス２０の長さが長い場合には、別の乗り越え検知用ＦＢＧ内蔵光ファイバケーブル３０を敷設することとなる。従って、設置すべき敷地が広大であっても、本発明を用いることは可能である。
【産業上の利用可能性】
【００３６】
ＦＢＧを利用した光ファイバケーブルの利用範囲を拡大することが可能となる。
【図面の簡単な説明】
【００３７】
【図１】本発明の第一実施形態に係る侵入検知装置を示す説明図である。
【図２】本発明の第二実施形態に係る侵入検知装置の要部を示す説明図である。
【図３】本発明の第三実施形態に係る侵入検知装置の要部を示す説明図である。
【図４】本発明の第四実施形態に係る侵入検知装置の要部を示す説明図である。
【図５】図４の侵入検知装置の要部を示す説明図である。
【図６】本発明の第五実施形態に係る侵入検知装置の要部を示す説明図である。
【図７】本発明の第六実施形態に係る侵入検知装置の要部を示す説明図である。
【符号の説明】
【００３８】
１，１Ａ，１Ｂ，１Ｃ，１Ｄ，１Ｅ  侵入検知装置
１０  監視センター
１１  監視装置
１２  乗り越え検知装置
１３  破断検知装置
１４  光パッチパネル
２０  フェンス
２１  忍び返し
２２  壁面
３０  乗り越え検知用ＦＢＧ内蔵光ファイバケーブル
３１ａ〜３１ｏ  テンション機構
４０ａ〜４０ｏ  破断検知用光ファイバケーブル
５０  紐部材
５０Ａ  伝達ロッド
５０Ｂ  伝達部材
【図１】
2006155426.tif 000003
【図２】
2006155426.tif 000004
【図３】
2006155426.tif 000005
【図４】
2006155426.tif 000006
【図５】
2006155426.tif 000007
【図６】
2006155426.tif 000008
【図７】
2006155426.tif 000009